(57)【特許請求の範囲】
【請求項１】
霧の層を２層の空気層で挟み込んだスクリーンを、かご内のかご出入口に対向する位置に発生させるスクリーン発生手段、
上記スクリーンに映像を映し出す映像表示手段、及び
上記空気層の温度を調整する温度調整手段
を備えているエレベータの情報表示システム。
【請求項２】
上記霧の層を形成するための水及び上記空気層を形成するための空気の消臭をする発生部消臭手段をさらに備えている請求項１記載のエレベータの情報表示システム。
【請求項３】
上記発生部消臭手段には光触媒が用いられている請求項２記載のエレベータの情報表示システム。
【請求項４】
上記スクリーンを構成する霧と空気とを回収するとともに、回収した霧を水に戻す回収手段をさらに備え、
上記回収手段で回収された水を上記スクリーン発生手段で再利用する請求項１記載のエレベータの情報表示システム。
【請求項５】
上記回収手段で回収された水の消臭をする回収部消臭手段をさらに備えている請求項４記載のエレベータの情報表示システム。
【請求項６】
上記回収部消臭手段には光触媒が用いられている請求項５記載のエレベータの情報表示システム。
【請求項７】
霧の層を一対の空気層で挟み込んだスクリーンを、かご内のかご出入口に対向する位置に発生させるスクリーン発生手段、
上記スクリーンに映像を映し出す映像表示手段、及び
上記空気層を形成するための空気に香りを加える香り付加手段
を備えているエレベータの情報表示システム。
【請求項８】
霧の層を一対の空気層で挟み込んだスクリーンを、かご内のかご出入口に対向する位置に発生させるスクリーン発生手段、
上記スクリーンに映像を映し出す映像表示手段、及び
上記空気層を形成するための空気の消臭をする消臭手段
を備えているエレベータの情報表示システム。
【発明の詳細な説明】
【技術分野】
【０００１】
この発明は、かご内のエレベータ利用者に対して情報を表示するためのエレベータの情報表示システムに関するものである。
【背景技術】
【０００２】
従来のエレベータのかご内情報表示装置では、かご内に設置されたディスプレイに映像が表示される（例えば、特許文献１参照）。
また、従来のエレベータの乗場案内情報表示装置では、乗場天井部に設置されたプロジェクタから乗場ドアに、エレベータの運行情報が映し出される（例えば、特許文献２参照）。【０００３】
【特許文献１】特開２００１−２９４３７４号公報
【特許文献２】特開２００４−５１３５６号公報
【発明の開示】
【発明が解決しようとする課題】
【０００４】
しかし、上記のような従来の情報表示装置では、映像を映し出す場所が、かごの壁面に設置されたディスプレイや乗場ドアなどに制限される。これに対して、例えば全戸開時に出入口付近に情報を表示しようとすると、出入口付近にスクリーンを配置することになり、エレベータ利用者の乗降の妨げになってしまう。【０００５】
この発明は、上記のような課題を解決するためになされたものであり、表示場所の自由度を高めることができるエレベータの情報表示システムを得ることを目的とする。
【課題を解決するための手段】
【０００６】
この発明によるエレベータの情報表示システムは、霧の層を２層の空気層で挟み込んだスクリーンをかご内に発生させるスクリーン発生手段、スクリーンに映像を映し出す映像表示手段、及び空気層の温度を調整する温度調整手段を備えている。
また、この発明によるエレベータの情報表示システムは、霧の層を一対の空気層で挟み込んだスクリーンをかご内に発生させるスクリーン発生手段、スクリーンに映像を映し出す映像表示手段、及び空気層を形成するための空気に香りを加える香り付加手段を備えている。
また、この発明によるエレベータの情報表示システムは、霧の層を一対の空気層で挟み込んだスクリーンをかご内に発生させるスクリーン発生手段、スクリーンに映像を映し出す映像表示手段、及び空気層を形成するための空気の消臭をする消臭手段を備えている。
【図面の簡単な説明】
【０００７】
【図１】この発明の実施の形態１によるエレベータの情報表示システムを示す側面図である。
【図２】図１の情報表示システムをかご内から見た正面図である。
【図３】図１の情報表示システムを示す平面図である。
【図４】図１の表示制御装置及びエアー制御装置の動作を示すフローチャートである。
【発明を実施するための最良の形態】
【０００８】
以下、この発明の好適な実施の形態について図面を参照して説明する。
実施の形態１．
図１はこの発明の実施の形態１によるエレベータの情報表示システムを示す側面図、図２は図１の情報表示システムをかご内から見た正面図、図３は図１の情報表示システムを示す平面図である。【０００９】
図において、かご１の上部（天井部）には、かご１内に霧のスクリーン（フォグスクリーン）３を発生させるスクリーン発生手段としての霧発生装置２が設けられている。スクリーン３は、２層の薄い層状に空気を吹き出すとともに、空気層の間に高密度かつ均一な霧の層を吹き出すことにより形成される。即ち、スクリーン３は、２層の空気層で霧の層を挟み込むことにより形成されている。霧の層の厚さ及び均一性は、空気層により調整されている。また、スクリーン３は、かご出入口に対向する位置に発生される。【００１０】
霧発生装置２には、かご１上に設置された水タンク４が接続されている。霧発生装置２は、水タンク４から供給される水により霧を発生させる。【００１１】
かご１の上部には、ミラー５を介してスクリーン３に映像６を映し出す映像表示手段としてのプロジェクタ７が設置されている。ミラー５は、かごドア８の上方に配置されている。プロジェクタ７からの光は、スクリーン３の背後から投影される。即ち、プロジェクタ７及びミラー５は、スクリーン３よりもかご出入口側に配置されている。【００１２】
かご１の床部には、スクリーン３を構成する空気及び霧を吸い込んで回収する回収手段としての回収器９が設けられている。回収された霧は、回収器９内で水に戻され、配管１０を通して水タンク４に戻される。即ち、水タンク４内の水は、霧発生装置２、回収器９及び水タンク４を循環され、繰り返し利用される。【００１３】
霧発生装置２及びプロジェクタ７は、表示制御装置１１により制御される。表示制御装置１１は、映像や情報を配信する情報配信装置１２と、エレベータの運転を制御するエレベータ制御装置１３とに接続されている。エレベータ制御装置１３は、群管理装置（図示せず）からの割当等に応じてかご１を運行する。表示制御装置１１は、エレベータ制御装置１３からのかご運行情報に応じて、スクリーン３及び映像６のＯＮ／ＯＦＦ制御を行う。この例では、かご１の走行中はスクリーン３及び映像６が発生され、かご１の停止中はスクリーン３及び映像６が除去される。【００１４】
かご１の上部には、かご１内の温度を検出するための温度センサ１４が設けられている。霧発生装置２には、温度調整手段としてのエアー制御装置１５、香り付加手段としての香り付加装置１６、及び発生部消臭手段としての発生部消臭装置１７が設けられている。【００１５】
エアー制御装置１５は、エレベータ制御装置１３からのかご運行情報及び温度センサ１４からの温度情報に応じて、スクリーン３を構成する空気層の温度を制御する。これにより、空気層を任意の温度の温風や冷風とすることができる。【００１６】
香り付加装置１６は、空気層を形成するための空気に必要に応じて香水等の香りを加えることができる。発生部消臭装置１７は、霧の層を形成するための水及び空気層を形成するための空気の消臭をする。発生部消臭装置１７には、消臭剤が設けられている。また、発生部消臭装置１７に光触媒を設け、光触媒の機能により汚れや臭いの成分を分解するようにしてもよい。香り付加装置１６による香りの付加は、発生部消臭装置１７による消臭後に行われる。【００１７】
回収器９には、回収部消臭手段としての回収部消臭装置１８が設けられている。回収部消臭装置１８は、回収器９で回収された水の消臭をする。回収部消臭装置１８には、消臭剤が設けられている。また、回収部消臭装置１８に光触媒を設け、光触媒の機能により汚れや臭いの成分を分解するようにしてもよい。さらに、霧を形成する水の循環経路の途中に循環路消臭装置（図示せず）を設けることも可能であり、循環路消臭装置に光触媒を使用したフィルタを設けてもよい。【００１８】
図４は図１の表示制御装置１１及びエアー制御装置１５の動作を示すフローチャートである。表示制御装置１１及びエアー制御装置１５は、エレベータ制御装置１３からの情報により、呼び登録を受け付けたかどうかを監視している（ステップＳ１）。そして、呼び登録を受け付けた場合、かご１が登録階に到着したかどうかを監視する（ステップＳ２）。【００１９】
かご１が登録階に到着した後は、かご１が走行を開始したかどうかを監視する（ステップＳ３）。かご１が走行を開始すると、霧発生装置２によりスクリーン３を発生させるとともに（ステップＳ４）、スクリーン３の空気層の温度制御を開始し（ステップＳ５）、続いて、プロジェクタ７により映像６の表示を開始させる（ステップＳ６）。【００２０】
この後、表示制御装置１１及びエアー制御装置１５は、かご１が行先階に到着したかどうかを監視する（ステップＳ７）。映像６の表示及び温度制御は、かご１が行先階に到着するまで継続される。そして、かご１が行先階に到着すると、映像６の表示及び温度制御が停止され（ステップＳ８、Ｓ９）、スクリーン３が除去される（ステップＳ１０）。【００２１】
行先階でスクリーン３が除去されると、表示制御装置１１及びエアー制御装置１５は、他に行先階が登録されているかどうかを確認する（ステップＳ１１）。登録されていれば、ステップＳ３に戻り、登録されていなければ、ステップＳ１に戻り待機する。【００２２】
このようなエレベータの情報表示システムでは、層状の霧からなるスクリーン３に映像６を映し出すので、ディスプレイを設置したりドアをスクリーンとしたりする場合に比べて、表示場所の自由度を高めることができる。
また、かご床に回収器９を設けたので、水を循環利用することができるとともに、かご１内の空気の入れ換えも行うことができる。【００２３】
さらに、エアー制御装置１５により空気層の温度を制御するので、かご内空調装置を別に設ける必要がなく、かご１の構成を簡素化することができる。
さらにまた、消臭装置１７，１８を用いたので、かご１内の空気を清浄に保ち、乗り心地を改善することができる。
また、香り付加装置１６を用いたので、乗り心地をさらに改善することができる。【００２４】
なお、スクリーン３に映し出す映像６としては、例えば、エレベータの運行情報、建物の情報、宣伝、天気予報等の一般情報、及び景色の映像等が挙げられる。また、映像６に連動する音声や音楽をかご１内のスピーカから放送することも可能である。
また、表示制御装置１１をかご内照明制御装置（図示せず）に接続し、映像６を表示している間には、かご１内の照明をやや暗くするなどしてもよい。【００２５】
さらに、上記の例では、かご１の走行中のみスクリーン３を発生させたが、かご１の停止時にスクリーンを発生させ、乗場へ向けて映像を表示してもよい。
さらにまた、表示制御装置１１やエアー制御装置１５を省略してエレベータ制御装置１３により霧発生装置２及びプロジェクタ７を直接制御してもよい。
また、１つのかごに複数のスクリーン発生手段及び複数の映像表示手段を設けてもよい。
さらに、上記の例では、スクリーンを垂直に発生させたが、スクリーンの方向は特に限定されるものではなく、例えば水平又は斜めに発生させてもよい。
【図１】
0004610612.tif 000002
【図２】
0004610612.tif 000003
【図３】
0004610612.tif 000004
【図４】
0004610612.tif 000005